(57)【要約】【課題】小さくて、単純で、低コストなライト付きヘッドウエアシステムを提供する。【解決手段】本発明に係るライト付きのヘッドウエアシステム１０は、クラウン１４を有するヘッドウエア１２と、クラウン１４と結合するように構成された照明装置２０とを備えている。【選択図】図１
2007535093.tif 000002
【特許請求の範囲】
【請求項１】
ライト付きのヘッドウエアシステムであって、
クラウンを有するヘッドウエアと、
前記ヘッドウエアの前記クラウンと結合するように構成された照明装置とを備えたシステム。
【請求項２】
請求項１に記載のシステムであって、
前記ヘッドウエアは、シェル部と衝撃吸収部とをさらに有することを特徴とするシステム。
【請求項３】
請求項２に記載のシステムであって、
前記照明装置は、前記シェル部と前記衝撃吸収部との間で前記ヘッドウエアと結合することを特徴とするシステム。
【請求項４】
請求項１に記載のシステムであって、
前記ヘッドウエアは、野球帽であることを特徴とするシステム。
【請求項５】
請求項４に記載のシステムであって、
前記照明装置は、前記野球帽の頭頂部にあるボタンの代わりに設置されることを特徴とするシステム。
【請求項６】
請求項１に記載のシステムであって、
前記照明装置は、
照明素子と、
前記照明素子に電力を供給するように構成された電力素子と、
前記照明素子及び前記電力素子を支持し、前記ヘッドウエアと結合するように構成されたハウジングとを備えたことを特徴とするシステム。
【請求項７】
請求項１に記載のシステムであって、
前記ヘッドウエアは、オートバイ用のヘルメットであることを特徴とするシステム。
【請求項８】
請求項１に記載のシステムであって、
前記照明装置は、前記ヘッドウエアにボルト・ナット構造によって結合されることを特徴とするシステム。
【請求項９】
請求項１に記載のシステムであって、
前記照明装置は、前記ヘッドウエアに接着剤によって結合されることを特徴とするシステム。
【請求項１０】
ヘッドウエア用の照明装置であって、
照明素子と、
前記照明素子に電力を供給するように構成された電力素子と、
前記照明素子及び前記電力素子を支持するように構成されたハウジングと、
前記ヘッドウエア及びハウジングと結合するように構成された基部とを備えた装置。
【請求項１１】
請求項１０に記載の装置であって、
前記装置の動作を制御するように構成された制御回路をさらに備えたことを特徴とする装置。
【請求項１２】
請求項１１に記載の装置であって、
前記ハウジングは、
前記照明要素及び前記制御回路を有するトップハウジングと、
前記電力素子及び前記制御回路を収容するための凹部を有し、前記トップハウジングと結合するように構成されたボトムハウジングとを含むことを特徴とする装置。
【請求項１３】
請求項１２に記載の装置であって、
前記トップハウジングは、前記照明素子の近傍に位置する半透明部をさらに有することを特徴とする装置。
【請求項１４】
請求項１２に記載の装置であって、
前記トップハウジングは、半透明であることを特徴とする装置。
【請求項１５】
請求項１０に記載の装置であって、
前記照明素子は発光ダイオードであり、その周囲３６０°を照らすことを特徴とする装置。
【請求項１６】
ライト付きのヘッドウエアシステムであって、
シェル部と衝撃吸収部とを有するヘッドウエアと、
前記シェル部と前記衝撃吸収部との間で前記ヘッドウエアと結合するように構成された照明装置とを備えたシステム。
【請求項１７】
請求項１６に記載のシステムであって、
前記照明装置は、
照明素子と、
前記照明素子に電力を供給するように構成された電力素子と、
前記照明素子及び前記電力素子を支持するように構成されたハウジングと備えたことを特徴とするシステム。
【請求項１８】
請求項１７に記載のシステムであって、
前記システムの動作を制御するように構成された制御回路をさらに備えたことを特徴とするシステム。
【請求項１９】
請求項１７に記載のシステムであって、
前記照明素子への電力供給の開閉を交互に行うように構成された、ユーザが操作可能なスイッチをさらに備えたことを特徴とするシステム。
【請求項２０】
請求項１７に記載のシステムであって、
前記ハウジングは半透明であることを特徴とするシステム。
【発明の詳細な説明】
【技術分野】
【０００１】
本発明は一般的にライト付きヘッドウエアに関し、特に、装飾用又は安全上の理由で使用されるライト付きヘッドウエアに関する。
【背景技術】
【０００２】
様々な装飾用及び安全用の照明システムがある。しかしながら、それらのシステムは、サイズ、複雑性、コスト及び外観などに制限のある場合がある。そこで、小さくて、単純で、低コストなライト付きヘッドウエアシステムが求められている。
【発明の開示】
【課題を解決するための手段】
【０００３】
本発明は、クラウンを有するヘッドウエアと、そのヘッドウエアのクラウンと結合するように構成された照明装置とを備えた、小さくて、単純で、低コストなライト付きヘッドウエアシステムを提供する。
【発明を実施するための最良の形態】
【０００４】
以下に本発明の好ましい実施形態について説明するが、これは本発明のためのものであり、本願発明の範囲を制限するものではない。したがって、当業者であれば、これらの各要素もしくは全要素をこれと均等なものに置換した他の実施形態を採用することが可能であるが、これらの実施形態も本発明の範囲に含まれる。
【０００５】
図１は、本発明に係るライト付きヘッドウエアシステム１０を示している。ライト付きヘッドウエアシステム１０は、一般的に、ヘッドウエア１２と照明装置２０とを備えている。ヘッドウエア１２は、一般的に、クラウン１４とつば１６とを有している。ヘッドウエア１２は一般的な野球帽として示されているが、ヘッドウエア１２はヘルメット等の他のタイプのヘッドウエアであってもよい。照明装置２０は、一般的に、通常は野球帽のボタンがあるクラウン１４においてヘッドウエア１２と結合される。しかし、照明装置２０は、様々な場所でヘッドウエア１３と結合され、昼間でも夜間でもいつでも使用することができる。
【０００６】
照明装置２０は、一般的に、高さ０．２５〜１．０インチ、直径１インチの円筒状であり、その周囲３６０°に発光することができる。図２は、本発明の一実施形態に係る照明装置２０を示している。照明装置２０は、一般的に、ボトムハウジング３４及びベース４４と結合するように構成されたトップハウジング２２を含んでいる。トップハウジング２２は、一般的に、照明素子２６からの照明を外部に透過させるための半透明部２４を有している。また、トップハウジング２２は、一般的に、ボトムハウジング３４と結合するように構成されたトップハウジング結合部３０を有している。
【０００７】
ボトムハウジング３４は、一般的に、電力素子４８を受け入れるように構成された凹部３６を有している。また、ボトムハウジング３４は、基部４４と結合するように構成されたボトム結合部４０を有している。ボトム結合部４０は、一般的に、ベース４４をボトムハウジング３４に結合させるべく、ベース結合部４６と結合するように構成された開口部４２を有している。
【０００８】
電力素子４８は、一般的に、バッテリーであるが、照明装置に電力を供給可能な他のタイプのものであってもよい。また、ここでは３個の電力素子４８が示されているが、望むのであれば、電力素子の数はいくつであってもよい。
【０００９】
図３は、図２に示した照明装置の一部と、ヘッドウエア１２の一部とを示している。ボトムハウジング３４は、凹部３６と、トップ部分に結合するように構成されたトップ結合部分３８とを有している。トップ結合部分３８には、一般的に、トップハウジング２２のトップハウジング結合部３０を受け入れるためのねじ山が形成されている。なお、トップハウジング結合部３０及びトップ結合部３８はねじ結合するように示されているが、他のタイプの結合構造を用いることができる。
【００１０】
ボトムハウジング３４は、開口部４２を有するボトム結合部４０を有している。ベース４４は、ベース結合部４６を有している。ベース結合部４６は、一般的に、ボトムハウジング３４とベース４４を結合させるための、ボトム結合部４０の開口部４２と結合するように構成された突起部４７を有している。なお、ボトムハウジング３４とベース４４を結合させるのには、様々な結合構造を用いることができる。
【００１１】
ベース４４は、一般的に、突起部４７がヘッドウエア１２を貫通してベース４４、ヘッドウエア１２及びボトムハウジング３４を結合するように、ヘッドウエア１２の内側に配置される。このような構成により、照明装置をヘッドウエア１２に結合させることができる。なお、ここで説明した方法に限らず、様々な結合構造を用いることができる。
【００１２】
図４は、ボトムハウジング３４及びベース４４と、結合位置にあるヘッドウエア１２とを示している。ベース４４は、ベース結合部４６と突起部４７とを有している。突起部４７は、ヘッドウエア１２を貫通してボトムハウジング３４のボトム結合部４０内にまで延出し、それらを結合する。
【００１３】
図５は、図４の実施形態に、電力素子４８を加えた状態を示している。電力素子４８は、一般的に、ボトムハウジング３４の凹部３６に収容される。電力素子４８がボトムハウジング３４内に配置されると、ベース４４をボトムハウジング３４に固定すべく、電力素子４８は突起部４７を曲げるために下方に押し込まれる。このようにして、照明装置２０の一部をヘッドウエア１２に固定する。突起部４７は、それらの結合が解けないように、離れる方向に曲げられる。
【００１４】
図６は、図５の実施形態に、トップハウジング２２を加えた状態を示している。トップハウジング２２は、一般的に、半透明部２４、照明素子２６及び制御回路２８を有している。電力素子４８は、一般的に、制御回路２８及び照明素子２６用に構成されている。半透明部２４は、ほとんどの方角から（全部ではないかもしれないが）照明素子２６の明かりが見えるように構成されている。
【００１５】
照明素子２６としては、一般的に、発光ダイオード（ＬＥＤ）が用いられる。しかし、望むのであれば、他の照明素子を用いることもできる。制御回路２８は、一般的に、電力素子４８から電力を供給され、照明素子２６を明るくするときなどの全システムの動作を制御する。
【００１６】
トップハウジング２２は、一般的に、ボトムハウジング３４のトップ結合部３８と結合するよう構成されたトップハウジング結合部３０を有している。電力素子４８から制御回路２８に電力を供給する際は、トップハウジング２２を締め付け、電力を遮断する際は締め付けを緩める。なお、制御回路２８及び照明素子２６の電力をオン・オフするのには、アクチュエータ又はスイッチ構造などの他の構造を用いることもできる。
【００１７】
図７は、本発明の他の実施形態に係るライト付きヘッドウエアシステム５０を示している。ライト付きヘッドウエアシステム５０は、一般的に、ヘッドウエア５２と照明装置６０とを備えている。この実施形態では、ヘッドウエア５２は、自転車用ヘルメットである。しかし、望むのであれば、他のタイプのヘッドウエアであってもよい。また、図７は、照明装置の他の実施形態を示している。
【００１８】
図８は、ライト付きヘッドウエアシステム５０の分解図である。この実施形態では、照明装置６０は、シェル（shell）５４と衝撃吸収部５６との間に取り付けられる。このように構成することにより、ボトムハウジング７０の結合構造７４は、照明装置６０をヘッドウエア５２に結合させるべく、シェル５４と衝撃吸収部５６との間に配置される。なお、望むのであれば、他の結合構造を用いることもできる。
【００１９】
図９は、本発明の他の実施形態に係る照明装置６０を示している。照明装置６０は、一般的に、トップハウジング６２とボトムハウジング７０とを含んでいる。トップハウジング６２は、一般的に、照明素子６４、制御素子６６及び電力素子６８を有している。ボトムハウジング７０は、一般的に、その内部に、照明素子６４、制御回路６６及び電力素子６８を収容可能な凹部７２を有している。
【００２０】
照明装置６０は、一般的に、長さ１〜４インチであり、高さ０．２５〜２．０インチである。なお、望むのであれば、照明装置の形状及び構造は変更可能である。
【００２１】
トップハウジング６２は、一般的に、凹部７２に収容されるように構成されており、その内部にシステムの他の要素を保持すべく、及び分解を容易にすべく、締まりばめを形成している。さらに、トップハウジング６２は、一般的に、照明素子６４からの照明が外部に透過されるように半透明である。制御回路６６は、トップハウジング６２を下方に押し込んでスイッチ６７を動作させ、制御回路６６の電力を交互にオン・オフすることにより駆動される。なお、望むのであれば、他の作動構造を用いることもできる。さらに、トップハウジング６２は、一般的に、ユーザがスイッチ６７を動作できるように弾力性を有している。
【００２２】
照明素子６４としては、一般的に、発光ダイオード（ＬＥＤ）が用いられる。しかし、望むのであれば、他の照明素子を用いることもできる。また、図９では２個の照明素子６４が示されているが、望むのであれば、照明素子の数はいくつであってもよい。
【００２３】
ボトムハウジング７０は、一般的に、ヘッドウエア５２と結合するように構成されたボトム結合構造７４を有している。ボトム結合構造７４は、一般的に、照明装置６０をヘッドウエアに結合させるための開口部７６を有している。
【００２４】
図１０は、本発明の他の実施形態に係るライト付きヘッドウエアシステム９０を示している。ライト付きヘッドウエアシステム９０は、一般的に、ヘルメット９２と照明装置６０とを備えている。この実施形態では、ヘルメット９２は、オートバイ用のヘルメット又は他のタイプのヘルメットである。
【００２５】
図１１は、照明装置６０をヘルメット９２に取り付ける方法を示している。結合構造７４には孔７６が形成されており、この実施形態では、ボルト７８が孔７６及びヘルメット９２を貫通して、ナット８２（ねじが切られており、ボルト７８を受け入れるように構成されている）によってヘルメット９２に固定される。なお、ここでは、照明装置６０とヘルメット９２はボルト・ナット構造によって固定しているが、望むのならば、例えば、接着剤、リベット又は他の結合構造などの他の方法を用いることもできる。
【００２６】
上記に説明及び開示した様々な実施形態では、照明装置６０は、当業者なら理解できるように、その周囲３６０°を照射する。又は、遮蔽することにより小規模に光を放つ。
【００２７】
以上、本発明の特定の実施形態について説明したが、本発明は前記した実施の形態のみに限定されるものではなく、本発明の技術的思想に基づく限りにおいて、種々の変形が可能である。
【図面の簡単な説明】
【００２８】
【図１】本発明の一実施形態に係るライト付きのヘッドウエアシステムを示す斜視図である。
【図２】本発明の一実施形態に係る照明装置の分解図である。
【図３】本発明の一実施形態に係る照明装置の平面図である。
【図４】図３の実施形態において、ヘッドウエアに照明装置を結合させた状態を示す図である。
【図５】図４の実施形態に電力素子を追加した状態を示す図である。
【図６】図５の実施形態にトップハウジングを追加した状態を示す図である。
【図７】本発明の他の実施形態に係るライト付きのヘッドウエアシステムの斜視図である。
【図８】図７の実施形態における照明装置の分解図である。
【図９】本発明の他の実施形態に係る照明装置の分解図である。
【図１０】本発明の他の実施形態に係るライト付きのヘッドウエアシステムの斜視図である。
【図１１】本発明の一実施形態に係る結合構造を示す図である。
【図１】
2007535093.tif 000003
【図２】
2007535093.tif 000004
【図３】
2007535093.tif 000005
【図４】
2007535093.tif 000006
【図５】
2007535093.tif 000007
【図６】
2007535093.tif 000008
【図７】
2007535093.tif 000009
【図９】
2007535093.tif 000010
【図８】
2007535093.tif 000011
【図１０】
2007535093.tif 000012
【図１１】
2007535093.tif 000013
【手続補正書】
【提出日】平成17年7月18日(2005.7.18)
【手続補正１】
【補正対象書類名】特許請求の範囲
【補正対象項目名】全文
【補正方法】変更
【補正の内容】
【特許請求の範囲】
【請求項１】
ライト付きのヘッドウエアであって、
クラウン部分と、前記クラウン部分に動作可能に結合された照明装置とを有し、
前記照明装置は、
少なくとも１つの照明素子及び少なくとも１つの電力源を受け入れるように構成され、少なくとも１つの開口部を有するクラウン接合部分を含む第１ハウジングと、
前記開口部と嵌合したときに前記クラウン部分から離反する向きに延出するように構成された少なくとも１つの突起部を有する基部とを含み、
前記第１ハウジング内で前記少なくとも１つの前記電力源を押し込んだときに、前記延出した突起部は、前記第１ハウジングを前記クラウン部分に固定すべく、前記少なくとも１つの電力源によって前記クラウン部分に向けて折り曲げられ、前記クラウン部分は、前記基部と前記第１ハウジングの前記クラウン接合部との間にしっかりと挟み込まれることを特徴とするヘッドウエア。
【請求項２】
請求項１に記載のライト付きのヘッドウエアであって、
前記第１ハウジングを前記クラウン部分から分離させるときは、前記電力源を前記第１ハウジングから除去した後に、前記少なくとも１つの突起部を前記クラウン部分から遠ざかる方向に曲げることを特徴とするヘッドウエア。
【請求項３】
請求項１に記載のライト付きのヘッドウエアであって、前記第１ハウジングと結合するように構成された第２ハウジングをさらに備えたことを特徴とするヘッドウエア。
【請求項４】
請求項３に記載のライト付きのヘッドウエアであって、前記第２ハウジングは半透明部を有することを特徴とするヘッドウエア。
【請求項５】
請求項４に記載のライト付きのヘッドウエアであって、前記半透明部は光を実質的に３６０°の範囲で透過させるように構成されていることを特徴とするヘッドウエア。
【請求項６】
請求項１に記載のライト付きのヘッドウエアであって、
前記電力源はバッテリーであることを特徴とするヘッドウエア。
【請求項７】
請求項１に記載のライト付きのヘッドウエアであって、
前記照明素子はＬＥＤ（発光ダイオード）であることを特徴とするヘッドウエア。
【請求項８】
請求項１に記載のライト付きのヘッドウエアであって、
前記クラウン部分は内面及び外面を有し、前記基部は前記クラウン部分の前記内面に対向して配置されることを特徴とするヘッドウエア。
【請求項９】
請求項８に記載のライト付きのヘッドウエアであって、
前記第１ハウジングは前記クラウン部分の前記外面に対向して配置されることを特徴とするヘッドウエア。
【請求項１０】
請求項９に記載のライト付きのヘッドウエアであって、
前記第１ハウジングは、実質的に、前記クラウン部分の前記外面の頂上部において前記基部に固定されることを特徴とするヘッドウエア。
【請求項１１】
請求項１に記載のライト付きのヘッドウエアであって、
前記クラウン部分は、前記野球帽の一部であることを特徴とするヘッドウエア。
【請求項１２】
請求項４に記載のライト付きのヘッドウエアであって、
前記第２ハウジングは、前記電力源及び照明素子間に動作可能に結合された制御回路をさらに有することを特徴とするヘッドウエア。
【請求項１３】
請求項１２に記載のライト付きのヘッドウエアであって、
前記制御回路は、前記第２ハウジングを前記第１ハウジングに締め付けることによって電力を供給されることを特徴とするヘッドウエア。
【国際調査報告】
2007535093.tif 000014